(57)【要約】      （修正有）【課題】需要者の満足感を高めることができ、需要者参加型の新規な布製品を提供する。【解決手段】縫製可能な生地にウレタンシートをラミネートした布製品に接着剤でデコレーション材料が装飾でき、デコレーション材料で基準デザインが接着されていて、ユーザ側には前記基準デザインの改変を許容することを宣言して販売する。【選択図】なし【特許請求の範囲】
【請求項１】
縫製可能な生地にポリウレタンシートを接ラミネートしたものを使用することを
特徴とする布製品。
【請求項２】
請求項１に記載の布製品において、
ラミネートするポリウレタンシートの厚みは10〜200ミクロンのものであることを
特徴とする布製品。
【請求項３】
請求項１又は請求項２に記載の布製品において、
ユーザー側には基準デザインの改変を許容することを宣言して販売することを特徴
とする布製品。
【請求項４】
請求項１又は請求項２のいずれかに記載の布製品において、
デコレーション材料が接着されていることを特徴とする布製品。
【請求項５】
請求項１乃至請求項４のいずれかに記載の布製品において、
前記布製品は、女性用、男性用、子供用、ペット用、玩具用、人形用、寝具用、
カー用品、文房具、いずれかの布製品であることを特徴とする布製品。
【発明の詳細な説明】
【技術分野】
【０００１】
本発明は、デコレーション材料が接着可能な布によって構成されている
ことを特徴とする布製品に関する。
【背景技術】
【０００２】
巷にはありとあらゆる素材からなり、様々なデザインや模様が施された布製品
が出回っている。しかしながら、ほとんどのものは、製品を提供する側（製造メ
ーカー等）が同じようなデザインのものを商品として大量に生産し、オリジナリ
ティのないものが広く販売され、そしてそのデザインや模様、色等の流行は、製
造メーカー主導の流行左右されて生み出されているものといえる。
そこで、従来より、既製の布製品ではオリジナリティが無く、面白みに欠ける
として、これに満足できない需要者は、自ら好みの布製品を作成したり、既製の
布製品に油性ペン等で模様を描いたり、刺繍を施すことで満足感を得ていた。
近年では、需要者の様々なニーズに応え、安価で流行に応じたものだけでなく、
その人の個性を表現できるようなオリジナリティのある女性用に限らず、男性、
子供、動物用の下着や上着、ワイシャツやネクタイ等の衣類や帽子、ハンカチ、
バック等を含む布製品が求められている。
【０００３】
例えば、下記特許文献１には一の被服で複数種類の着回しを可能とする被服が
開示されている。これによれば、飽きることがなく、自分の個性を存分に発揮す
ることができるとされている。
【０００４】
【特許文献１】特開２００６−２１４０２１号公報
【発明の開示】
【発明が解決しようとする課題】
【０００５】
ところで、上述のように、従来の布製品ではオリジナリティが無く、面白みに
欠けるため、近年、需要者参加型の商品の開発が企業においてなされる傾向があ
り、また女性の間では、爪にさまざまな模様を描くネイルアート等にも見られる
ように装飾が流行しており、爪先や携帯電話で自己表現することもファッション
の一部となっている。（デコレーション）
このような傾向を受け、需要者の満足感を更に高める新規な商品の開発が求め
られている。
【０００６】
本発明は上記問題に鑑みなされたものであり、需要者の満足感を高めることが
でき、需要者参加型の新規な布製品を提供することを課題とするものである。
【課題を解決するための手段】
【０００７】
本発明に係る布製品は、縫製可能な生地にポリウレタンシートをラミネート
した繊維でなる生地に、デコレーション材料及び各個人で装飾可能なもので
装飾されていることを特徴とする。
ここで基準デザインとは布製品に予め装飾されて販売される商品のデザインを
いう。
【０００８】
また本発明の布製品において、ラミネートされたポリウレタンシートは、0.5
〜1００ミクロンのものとする。
【発明の効果】
【０００９】
本発明の布製品は、縫製可能な生地にポリウレタンシートをラミネートした生地
に、デコレーション材料が接着でき、布製品に描かれる基準デサインは、これまで
の布製品に施された絵柄、模様とは違ったデザインなり、新規な布製品とすること
ができる。また本発明の布製品に用いられる生地は、通液性がないものなので
衣服に限らず縫製出来る雑貨など幅広く用いることが出来る。
【００１０】
更に従来布製品にはデコレーション材料を自由に装飾できなかったが、ウレタン
シートをラミネートすることにより生地の収縮を防ぎ自由にデコレーション出来る
ようになり、ユーザーの満足感を高めることが出来る。
【００１１】
そして本発明の布製品によれば、ユーザ側には布製品に描かれた基準デザインの
改変を許容することを宣言して販売するものとすることができる。即ち、ユーザー
の好みにより、装飾を追加でき自分のオリジナリティを表現することができるので
需要者の満足感を高めることができる。
【発明を実施するための最良の形態】
【００１２】
以下、図面に基づいて本発明の実施の形態について説明する。図１は本発明を
適用した女性用水着の平面図であり、図１（ａ）は基準画が描かれていない
無地の状態、図１（ｂ）は基準画が描かれた状態を示している。
【００１３】
本発明の布製品に用いられる布は、縫製可能な生地にドライミラ方式でウレタン
シートを生地に接着したものである。ドライミスト方式では生地の収縮性にかかわ
らず加工できるのもである。
【００１４】
ここでいう布製品に用いられる布はドライミスト方式により縫製可能な生地に
ウレタンシートを接着したもので、ウレタンシートの厚みは縫製しやすい程度の
０．５〜１００ミクロンとする。又ドライミスト方式とは、ウレタンシートに
接着剤を塗布して、乾燥させ、被着体となる生地を重ねて加熱した状態で圧着
するラミネート方法のことをいう。
【００１５】
本発明の布製品は、上記布をいわばキャンバスに見立てて、通常は爪の表面
や携帯電話の表面に接着させて使用する、デコレーション材料が装飾されている
ことを基本デザインとする。
ここで基本デザイン２とは布製品に予め装飾されて完成品として販売されている
商品にデコレーションされた花・ビーズ・リボンなどを言う。
【００１６】
布製品の基準デザイン２がデコレーション素材で装飾されている、また布製品
に装飾されることは従来の布製品のようにデコレーション材料を糸で縫いつけて
たリ、プリントされたものとは違うタッチのものとすることが出来る。布製品に
ネイルアートを楽しむように自由に装飾できる点等では新規のものである。
また材料として使用されるデコレーション材料は手芸店、デコレーションパーツ
店等で簡単に入手でき、安価で様々な材料があり、造花、ビーズ、パール、リボ
ン等、バリエーション豊富な材料である。
よってこれを使用できれば、様々な表現が可能である。通常の布であれば、接着
剤での接着が困難で装飾するということが出来ない。
この点については実験例と共に、詳しく後述する。
【００１７】
図１は本発明の水着であり、上述の布でなり、縫製されたものに、装飾材料で
デコレーションを施されてなるものである。
【００１８】
図２は本発明の子供用ドレスであり、上述の布でなり、縫製されたものに、
装飾材料でデコレーションを施されてなるものである。
【００１９】
図３は本発明のネクタイであり、上述の布でなり、縫製されたものに、装飾
材料でデコレーションを施されてなるものである。
【００２０】
図４は本発明のペット用衣服であり、上述の布でなり、縫製されたものに、
装飾材料でデコレーションを施されてなるものである。
【００２１】
（実験例）
以下、本発明を更に詳しく説明するために、実験結果を示すとともに、
以下説明する。
比較例１〜2は、ウレタンシートをラミネートしていない布、ウレタンシートを
ラミネートしている生地に様々なメーカーの接着剤を試したのち最良の結果を
得た接着剤の接着の実験を試み、その評価を示したものである。
使用した接着剤は、シリル化ウレタン樹脂１００％。
実施例１として様々なデコレーションパーツを縫製可能な生地にウレタンシート
をラミネートした布に上記の接着剤で接着を試み、その評価を示したものである。
【００２２】
（比較例１）
比較例１は、縫製可能な布にウレタンシート接着していない生地に上記接着剤で
デコレーションを試みた例である、接着剤でデコレーションパーツを接着しようと
すると生地組織に接着剤が入り込み生地が盛り上がりまたは接着不可でうまく
装飾できなかった。
【００２３】
（比較例２）
比較例２は、縫製可能な布にウレタンシート接着した布に上記接着剤で
デコレーションを試みた例である、接着剤でデコレーションパーツを接着すると
生地組織に接着剤が入り込むが生地の盛り上がりはなく接着可能でうまく
装飾できた。
【００２４】
（実施例）
実施例１は比較例２の結果をもとに縫製可能な布にウレタンシート接着した布に
接着剤シリル化ウレタン樹脂１００％様々なデコレーションパーツの接着を
試みた例である。デコレーションパーツのビーズ、パール、レース、造花等々を接着
したところすべてのデコレーションパーツが接着できた。
【００２５】
（結果）
以上より、実施例１の縫製可能な生地にウレタンシートを接着させた布に接着剤
シリル化ウレタン樹脂１００％で様々なデコレーションパーツを接着することが
できることがわかった。
【００２６】
図１本発明を適用した水着平面図である。
図２本発明を適用したドレス平面図である。
図３本発明を適用したネクタイの平面図である。
図４本発明を適用したペット衣服の平面図である。
【手続補正書】
【提出日】平成21年3月12日(2009.3.12)
【手続補正２】
【補正対象書類名】明細書
【補正対象項目名】全文
【補正方法】変更
【補正の内容】
【発明の詳細な説明】
【技術分野】
【０００１】
本発明は、デコレーション材料が接着可能な布によって構成されている
ことを特徴とする布製品に関する。
【背景技術】
【０００２】
巷にはありとあらゆる素材からなり、様々なデザインや模様が施された布製品
が出回っている。しかしながら、ほとんどのものは、製品を提供する側（製造メ
ーカー等）が同じようなデザインのものを商品として大量に生産し、オリジナリ
ティのないものが広く販売され、そしてそのデザインや模様、色等の流行は、製
造メーカー主導の流行左右されて生み出されているものといえる。
そこで、従来より、既製の布製品ではオリジナリティが無く、面白みに欠ける
として、これに満足できない需要者は、自ら好みの布製品を作成したり、既製の
布製品に油性ペン等で模様を描いたり、刺繍を施すことで満足感を得ていた。
近年では、需要者の様々なニーズに応え、安価で流行に応じたものだけでなく、
その人の個性を表現できるようなオリジナリティのある女性用に限らず、男性、
子供、動物用の下着や上着、ワイシャツやネクタイ等の衣類や帽子、ハンカチ、
バック等を含む布製品が求められている。
【０００３】
例えば、下記特許文献１には一の被服で複数種類の着回しを可能とする被服が
開示されている。これによれば、飽きることがなく、自分の個性を存分に発揮す
ることができるとされている。
【０００４】
【特許文献１】特開２００６−２１４０２１号公報
【発明の開示】
【発明が解決しようとする課題】
【０００５】
ところで、上述のように、従来の布製品ではオリジナリティが無く、面白みに
欠けるため、近年、需要者参加型の商品の開発が企業においてなされる傾向があ
り、また女性の間では、爪にさまざまな模様を描くネイルアート等にも見られる
ように装飾が流行しており、爪先や携帯電話で自己表現することもファッション
の一部となっている。（デコレーション）
このような傾向を受け、需要者の満足感を更に高める新規な商品の開発が求め
られている。
【０００６】
本発明は上記問題に鑑みなされたものであり、需要者の満足感を高めることが
でき、需要者参加型の新規な布製品を提供することを課題とするものである。
【課題を解決するための手段】
【０００７】
本発明に係る布製品は、縫製可能な生地にポリウレタンシートをラミネート
した繊維でなる生地に、デコレーション材料及び各個人で装飾可能なもので
装飾されていることを特徴とする。
ここで基準デザインとは布製品に予め装飾されて販売される商品のデザインを
いう。
【０００８】
また本発明の布製品において、ラミネートされたポリウレタンシートは、0.5
〜1００ミクロンのものとする。
【発明の効果】
【０００９】
本発明の布製品は、縫製可能な生地にポリウレタンシートをラミネートした生地
に、デコレーション材料が接着でき、布製品に描かれる基準デサインは、これまで
の布製品に施された絵柄、模様とは違ったデザインなり、新規な布製品とすること
ができる。また本発明の布製品に用いられる生地は、通液性がないものなので
衣服に限らず縫製出来る雑貨など幅広く用いることが出来る。
【００１０】
更に従来布製品にはデコレーション材料を自由に装飾できなかったが、ウレタン
シートをラミネートすることにより生地の収縮を防ぎ自由にデコレーション出来る
ようになり、ユーザーの満足感を高めることが出来る。
【００１１】
そして本発明の布製品によれば、ユーザ側には布製品に描かれた基準デザインの
改変を許容することを宣言して販売するものとすることができる。即ち、ユーザー
の好みにより、装飾を追加でき自分のオリジナリティを表現することができるので
需要者の満足感を高めることができる。
【発明を実施するための最良の形態】
【００１２】
以下、図面に基づいて本発明の実施の形態について説明する。図１は本発明を
適用した女性用水着の平面図であり、図１（ａ）は基準画が描かれていない
無地の状態、図１（ｂ）は基準画が描かれた状態を示している。
【００１３】
本発明の布製品に用いられる布は、縫製可能な生地にドライミラ方式でウレタン
シートを生地に接着したものである。ドライミスト方式では生地の収縮性にかかわ
らず加工できるのもである。
【００１４】
ここでいう布製品に用いられる布はドライミスト方式により縫製可能な生地に
ウレタンシートを接着したもので、ウレタンシートの厚みは縫製しやすい程度の
０．５〜１００ミクロンとする。又ドライミスト方式とは、ウレタンシートに
接着剤を塗布して、乾燥させ、被着体となる生地を重ねて加熱した状態で圧着
するラミネート方法のことをいう。
【００１５】
本発明の布製品は、上記布をいわばキャンバスに見立てて、通常は爪の表面
や携帯電話の表面に接着させて使用する、デコレーション材料が装飾されている
ことを基本デザインとする。
ここで基本デザイン２とは布製品に予め装飾されて完成品として販売されている
商品にデコレーションされた花・ビーズ・リボンなどを言う。
【００１６】
布製品の基準デザイン２がデコレーション素材で装飾されている、また布製品
に装飾されることは従来の布製品のようにデコレーション材料を糸で縫いつけて
たリ、プリントされたものとは違うタッチのものとすることが出来る。布製品に
ネイルアートを楽しむように自由に装飾できる点等では新規のものである。
また材料として使用されるデコレーション材料は手芸店、デコレーションパーツ
店等で簡単に入手でき、安価で様々な材料があり、造花、ビーズ、パール、リボ
ン等、バリエーション豊富な材料である。
よってこれを使用できれば、様々な表現が可能である。通常の布であれば、接着
剤での接着が困難で装飾するということが出来ない。
この点については実験例と共に、詳しく後述する。
【００１７】
図１は本発明の水着であり、上述の布でなり、縫製されたものに、装飾材料で
デコレーションを施されてなるものである。
【００１８】
図２は本発明の子供用ドレスであり、上述の布でなり、縫製されたものに、
装飾材料でデコレーションを施されてなるものである。
【００１９】
図３は本発明のネクタイであり、上述の布でなり、縫製されたものに、装飾
材料でデコレーションを施されてなるものである。
【００２０】
図４は本発明のペット用衣服であり、上述の布でなり、縫製されたものに、
装飾材料でデコレーションを施されてなるものである。
【００２１】
（実験例）
以下、本発明を更に詳しく説明するために、実験結果を示すとともに、
以下説明する。
比較例１〜2は、ウレタンシートをラミネートしていない布、ウレタンシートを
ラミネートしている生地に様々なメーカーの接着剤を試したのち最良の結果を
得た接着剤の接着の実験を試み、その評価を示したものである。
使用した接着剤は、シリル化ウレタン樹脂１００％。
実施例１として様々なデコレーションパーツを縫製可能な生地にウレタンシート
をラミネートした布に上記の接着剤で接着を試み、その評価を示したものである。
【００２２】
（比較例１）
比較例１は、縫製可能な布にウレタンシート接着していない生地に上記接着剤で
デコレーションを試みた例である、接着剤でデコレーションパーツを接着しようと
すると生地組織に接着剤が入り込み生地が盛り上がりまたは接着不可でうまく
装飾できなかった。
【００２３】
（比較例２）
比較例２は、縫製可能な布にウレタンシート接着した布に上記接着剤で
デコレーションを試みた例である、接着剤でデコレーションパーツを接着すると
生地組織に接着剤が入り込むが生地の盛り上がりはなく接着可能でうまく
装飾できた。
【００２４】
（実施例）
実施例１は比較例２の結果をもとに縫製可能な布にウレタンシート接着した布に
接着剤シリル化ウレタン樹脂１００％様々なデコレーションパーツの接着を
試みた例である。デコレーションパーツのビーズ、パール、レース、造花等々を接着
したところすべてのデコレーションパーツが接着できた。
【００２５】
（結果）
以上より、実施例１の縫製可能な生地にウレタンシートを接着させた布に接着剤
シリル化ウレタン樹脂１００％で様々なデコレーションパーツを接着することが
できることがわかった。
【図面の簡単な説明】
【００２６】
【図１】本発明を適用した水着平面図である。
【図２】本発明を適用したドレス平面図である。
【図３】本発明を適用したネクタイの平面図である。
【図４】本発明を適用したペット衣服の平面図である。
【手続補正３】
【補正対象書類名】図面
【補正対象項目名】全図
【補正方法】追加
【補正の内容】
【図１】
2010162819.tif 000002
【図２】
2010162819.tif 000003
【図３】
2010162819.tif 000004
【図４】
2010162819.tif 000005